(57)【特許請求の範囲】
【請求項１】
コイルと、
コイルが取り付けられた胴体部と、平面視において前記胴体部の外周を取り囲むエッジ部とを含む振動板と、前記胴体部に取り付けられた補強シートとを備え、前記エッジ部の外周は、前記エッジ部の長径方向および短径方向のそれぞれに沿って直線状に延びる第１および第２エッジ直線部と、前記第１および第２エッジ直線部を互いにつなぐエッジ曲線部とを有している、スピーカユニットにおいて、
前記振動板は、前記胴体部の中心から前記エッジ曲線部の両端の各々に延びる仮想の直線の間に挟まれた前記エッジ部の領域内に複数の皺部を有し、
該複数の皺部は、前記胴体部の前記中心に対して放射状に延びているスピーカユニット。
【請求項２】
前記複数の皺部の少なくとも１つは、前記胴体部の前記中心から前記第１エッジ直線部の端部に延びる前記仮想の直線に沿って延びている、請求項１に記載のスピーカユニット。
【請求項３】
前記振動板の前記胴体部と、前記補強シートとの各々が、可視光領域の波長の光に対して透明である、請求項１または２に記載のスピーカユニット。
【請求項４】
前記補強シートは前記胴体部に、可視光を透過する接着剤によって取り付けられている、請求項３に記載のスピーカユニット。
【請求項５】
前記エッジ曲線部は、２次および３次曲線のいずれかで表される形状を有する、請求項１に記載のスピーカユニット。
【請求項６】
前記振動板は、平面視において前記エッジ部を取り囲み、かつ可視光領域の波長の光に対して透明である外枠部を含み、前記外枠部上に取り付けられ、かつ可視光を透過する補強リングをさらに備えた、請求項請求項３に記載のスピーカユニット。
【請求項７】
前記補強リングは前記外枠部に、可視光を透過する接着剤によって取り付けられている、請求項６に記載のスピーカユニット。
【請求項８】
請求項請求項１に記載のスピーカユニットを備えた、携帯情報端末。
【発明の詳細な説明】
【技術分野】
【０００１】
本発明は、スピーカユニットおよび携帯情報端末に関し、特に、コイルが取り付けられた振動板を有するスピーカユニットと、このスピーカユニットを有する携帯情報端末とに関するものである。
【背景技術】
【０００２】
近年、携帯電話、ＤＳＣ（Digital Still Camera）、ＰＤＡ（Personal Digital Assistants）、ＰＣ（Personal Computer）などの携帯情報端末の小型化・薄型化・スリム化が進んでいる。このため携帯情報端末用のスピーカユニットは、限られたスペースに搭載されることになるので、そのスペースに合った形状を有する必要がある。これにともなってスピーカユニットに用いられる振動板の形状も制限を受ける。たとえば国際公開第２００６／０８２７５４号パンフレットによれば、振動板の形状は、長径と短径とが異なる非円形状である。
【先行技術文献】
【特許文献】
【０００３】
【特許文献１】国際公開第２００６／０８２７５４号パンフレット
【発明の概要】
【発明が解決しようとする課題】
【０００４】
上記のように振動板の形状が制限される一方で、スピーカユニットの性能向上が求められており、特に、最低共振周波数（Ｆｏ）の低減、高音圧化、および低歪化が求められている。【０００５】
最低共振周波数を低減する方法として、振動板を薄くして振動しやすくする方法がある。しかし振動板が単に薄くされると、振動板に捩れの振動が生じることでコイルの振動が乱れやすい。この結果、コイルが入力信号に対応して正しく振動できなくなるので、出力音における歪成分が大きくなったり、有効な音圧が得にくくなったりするという問題がある。すなわち低歪化および高音圧化が困難になるという問題がある。【０００６】
本発明は、上記課題を鑑みてなされたものであり、その一の目的は、限られた搭載スペースに対応することができ、かつ最低共振周波数を低くすることができ、かつ高音圧化および低歪化を実現することができるスピーカユニットを提供することである。【０００７】
また本発明の他の目的は、より小型化、薄型化またはスリム化された携帯情報端末を提供することである。
【課題を解決するための手段】
【０００８】
本発明のスピーカユニットは、コイルと、振動板と、補強シートとを有する。振動板は、コイルが取り付けられた胴体部と、平面視において胴体部の外周を取り囲むエッジ部とを含む。補強シートは、胴体部に取り付けられている。エッジ部の外周は、第１および第２エッジ直線部と、エッジ曲線部とを有する。第１および第２エッジ直線部のそれぞれは、エッジ部の長径方向および短径方向に沿って直線状に延びている。エッジ曲線部は、第１および第２エッジ直線部を互いにつないでいる。振動板の胴体部と、補強シートとの各々が、可視光領域の波長の光に対して透明である。【０００９】
本発明のスピーカユニットによれば、長径方向の寸法に比して短径方向に沿った寸法を小さくすることができる。よってこの短径方向を搭載スペースにおける寸法の小さい方向に合わせることで、限られた搭載スペースをより有効に用いてスピーカユニットを搭載することができる。【００１０】
また胴体部の剛性が補強シートによって高められているので、胴体部に取り付けられたコイルの傾きが抑制される。これにより低周波数領域においてもコイルの振動の乱れが抑制されるので、最低共振周波数を低減することができる。【００１１】
またエッジ部の外周は、短辺方向に沿って第２エッジ直線部を有する。これにより、エッジ部の外周の曲率が大きいほど生じやすい振動板の歪を抑制することができる。よって低歪化が実現されるとともに、有効な音圧を得やすくなるので高音圧化を実現できる。【００１２】
また第１エッジ直線部と第２エッジ直線部とは、エッジ曲線部によってつながっている。これにより第１エッジ直線部と第２エッジ直線部との間を滑らかにつなぐことができるので、エッジ部の外周において曲率が局所的に大きくなる部分をなくすことができる。これにより、エッジ部の外周の曲率が大きいほど生じやすい振動板の歪を抑制することができる。よって低歪化が実現されるとともに、有効な音圧を得やすくなるので高音圧化を実現できる。【００１３】
また振動板の胴体部と補強シートとの各々が可視光領域の波長の光に対して透明であるので、胴体部のコイル側の面に、胴体部および補強シートを介して可視光を入射することができる。これによりコイルと胴体部とを可視光硬化型の接着剤を用いて効率よく接着することができる。よってスピーカユニットの製造コストを低減することができる。【００１４】
好ましくは、補強シートは胴体部に、可視光を透過する接着剤によって取り付けられている。これにより可視光硬化型接着剤を硬化させるための光が補強シートと胴体部との間で吸収されてしまうことを抑制することができる。【００１５】
好ましくは、エッジ曲線部は、２次および３次曲線のいずれかで表される形状を有する。これにより円弧形状が用いられる場合に比して、長径および短径の交点とエッジ曲線部との最大距離を抑制することができる。よって振動板の振動のバランスの崩れを抑制することができる。【００１６】
好ましくは、振動板は、胴体部の中心からエッジ曲線部の両端の各々に延びる仮想の直線の間に挟まれたエッジ部の領域内に複数の皺部を有する。この皺部によって、エッジ曲線部の近傍に振動板の歪が生じることを抑制することができる。よって低歪化および高音圧化を実現することができる。【００１７】
好ましくは、複数の皺部は胴体部の中心に対して放射状に延びている。これにより皺部を高い対称性で配置することができるので、振動板の応力分布の対称性を高めることができる。よって振動板の応力分布のバランスの崩れに起因したコイルの傾きを抑制することができる。【００１８】
好ましくは、複数の皺部の少なくとも１つは、胴体部の中心から第１エッジ直線部の端部に延びる仮想の直線に沿って延びている。これにより、胴体部の中心から第１エッジ直線部の端部に延びる仮想の直線上に応力が集中することを抑制できる。【００１９】
好ましくは、振動板は、平面視においてエッジ部を取り囲み、かつ可視光領域の波長の光に対して透明である外枠部を含む。またスピーカユニットは、外枠部上に取り付けられ、かつ可視光を透過する補強リングをさらに有する。これにより外枠部および補強リングを可視光硬化型の接着剤を用いて効率よく接着することができる。【００２０】
好ましくは、補強リングは外枠部に、可視光を透過する接着剤によって取り付けられている。これにより可視光硬化型接着剤を硬化させるための光が外枠部と補強リングとの間で吸収されてしまうことを抑制することができる。【００２１】
本発明の携帯情報端末は、上記のスピーカユニットを有する。これによりスピーカユニットをより限られたスペースに搭載することができるので、携帯情報端末を小型化、薄型化またはスリム化することができる。
【発明の効果】
【００２２】
以上説明したように、本発明のスピーカユニットによれば、限られた搭載スペースに対応することができ、かつ最低共振周波数を低くすることができ、かつ高音圧化および低歪化を実現することができる。【００２３】
また本発明の携帯情報端末によれば、携帯情報端末を小型化、薄型化またはスリム化することができる。
【図面の簡単な説明】
【００２４】
【図１】本発明の実施の形態１におけるスピーカユニットの構成を概略的に示す断面図である。
【図２】本発明の実施の形態１におけるスピーカユニットの振動板の構成を概略的に示す平面図である。
【図３】本発明の実施の形態１におけるエッジ部および胴体部の構成を概略的に示す平面図である。
【図４】比較例におけるスピーカユニットのエッジ部および胴体部の構成を概略的に示す平面図である。
【図５】図４における応力分布を概略的に示す平面図である。
【図６】図５の振動板に生じる凹みを概略的に示す断面図である。
【図７】比較例におけるコイルの傾きを示す正面図である。
【図８】本発明の実施の形態１におけるスピーカユニットの製造方法において、コイルが取り付けられる様子を概略的に示す断面図である。
【図９】本発明の実施の形態１の変形例におけるエッジ部および胴体部の構成を概略的に示す平面図である。
【図１０】図９における応力分布を概略的に示す平面図である。
【図１１】本発明の実施の形態１および比較例の各々におけるスピーカユニットの出力の周波数特定を概略的に示すグラフである。
【図１２】本発明の実施の形態１および比較例の各々における歪成分の周波数特性を概略的に示すグラフである。
【図１３】本発明の実施の形態２におけるスピーカユニットの構成を概略的に示す斜視図である。
【図１４】図１３の線ＸＩＶ−ＸＩＶに沿う概略断面図である。
【図１５】本発明の実施の形態３における携帯情報端末の操作面側の構成を概略的に示す部分斜視図である。
【図１６】図１５の携帯情報端末の背面側の構成を概略的に示す部分斜視図である。
【発明を実施するための形態】
【００２５】
以下、本発明の実施の形態について図に基づいて説明する。
【００２６】
（実施の形態１）
図１〜図３を参照して、本実施の形態のスピーカユニットは、コイル５と、振動板４と、補強シート７と、補強リング８と、ベースフレームＦｖと、ボトムプレート１ｖと、アッパープレート１１ｖと、マグネット２２ｖと、カバー６とを有する。
【００２７】
振動板４は可撓性膜であって、たとえば厚さ８〜５０μｍのＰＥＴ(Polyethylene Terephthalate）膜またはＰＥＩ(Polyether Imide)膜である。また振動板４は、変位される部分である振動板片４ａと、固定される部分である外枠部４１とを有する。また振動板片４ａは、胴体部４３およびエッジ部４２を有する。
【００２８】
胴体部４３は平面状に形成され、図１における下面側にコイル５Ｖが取り付けられている。
【００２９】
エッジ部４２は、平面視において、胴体部４３の外周である胴体外周４３ａを取り囲んでいる。またエッジ部４２は、胴体部４３を振動可能に支持するように、振動方向Ｑに湾曲して形成されている。
【００３０】
外枠部４１は平面視においてエッジ部４２を取り囲んでいる。また外枠部４１は、平面状に形成されており、フレームＦｖの支持面に取り付けられている。これにより外枠部４１は振動板片４ａを振動方向Ｑに振動可能に支持している。
【００３１】
エッジ部４２の外周であるエッジ外周４２ａは、図３に示すように、第１および第２エッジ直線部ＬＥ１、ＬＥ２と、エッジ曲線部ＣＥとを有する。第１および第２エッジ直線部ＬＥ１、ＬＥ２のそれぞれは、エッジ部４２の長径方向Ｘおよび短径方向Ｙに沿って直線状に延びている。エッジ曲線部ＣＥは、第１および第２エッジ直線部ＬＥ１、ＬＥ２を互いにつないでいる。またエッジ曲線部ＣＥは、２次および３次曲線のいずれかで表される形状を有し、たとえば放物線で表される形状を有する。好ましくはエッジ曲線部ＣＥは円弧形状を含まない。
【００３２】
振動板片４ａはエッジ部４２内において複数の皺部（タンデンシャル）４８を有する。複数の皺部４８は、図３に示すように、第１エッジ直線部ＬＥ１の両端の各々と、長径Ａ１および短径Ａ２の交点Ｏ（中心）とを結ぶ１対の第１直線Ｌ１に挟まれた領域の外側、かつ第２エッジ直線部ＬＥ２の両端の各々と交点Ｏとを結ぶ１対の第２直線Ｌ２に挟まれた領域の外側に配置されている。すなわち複数の皺部４８は、交点Ｏからエッジ曲線部ＣＥの両端の各々に延びる第１および第２直線Ｌ１、Ｌ２（仮想の直線）の間に挟まれたエッジ部４２の領域内に配置されている。また複数の皺部４８は、交点Ｏに対して放射状に延びている。また複数の皺部４８の少なくとも１つは第１直線Ｌ１に沿って延びている。
【００３３】
補強シート７は、胴体部４３の図１における上面に取り付けられている。補強シート７および胴体部４３の各々は、可視光領域の波長の光に対して透明であり、特に５００〜７００ｎｍの波長を有する光に対して透明である。補強シートの材料は、たとえばＰＥＴである。また補強シート７は胴体部４３に、アクリル樹脂などの可視光を透過する接着剤によって取り付けられている。補強シート７の厚さは、たとえば５０〜２００μｍである。
【００３４】
また補強シート７（図１）は、胴体部４３と同一の平面形状を有する。すなわち平面視において補強シート７の外周は胴体外周４３ａ（図３）と同じである。胴体外周４３ａは、第１および第２胴体直線部ＬＢ１、ＬＢ２と、胴体曲線部ＣＢとを有する。第１および第２胴体直線部ＬＢ１、ＬＢ２のそれぞれは、長径方向Ｘおよび短径方向Ｙに沿って直線状に延びている。胴体曲線部ＣＢは、第１および第２胴体直線部ＬＢ１、ＬＢ２を互いにつないでいる。胴体曲線部ＣＢは、２次および３次曲線のいずれかで表される形状を有し、たとえば放物線で表される形状を有する。好ましくは胴体曲線部ＣＢは円弧形状を含まない。
【００３５】
好ましくは、第１胴体直線部ＬＢ１は１対の第１直線Ｌ１の間をつなぐように延び、第２胴体直線部ＬＢ２は１対の第２直線Ｌ２の間をつなぐように延び、また胴体曲線部ＣＢは第１および第２直線Ｌ１、Ｌ２の間をつなぐように延びている。
【００３６】
補強リング８は、スピーカユニットの組立工程における振動板４の取り扱いを容易とするためのものである。補強リング８および外枠部４１の各々は、可視光領域の波長の光に対して透明であり、特に５００〜７００ｎｍの波長を有する光に対して透明である。補強リング８は外枠部４１に、可視光を透過する接着剤によって取り付けられている。
【００３７】
マグネット２２ｖは、円環状の形状を有し、コイル５を包囲するようにベースフレームＦｖの底面に設けられている。またマグネット２２ｖは、コイル５の外周面と間隔を空けてコイル５の外周側に配置されている。すなわち本実施の形態のスピーカユニットは外磁型である。
【００３８】
フレームＦｖおよびボトムプレート１ｖ（図１）は、細長い箱型の形状をなしている。
ボトムプレート１ｖは、金属からなり、円柱部を有する。その円柱部がコイル５の内部へ突出するように、ボトムプレート１ｖはベースフレームＦｖに取り付けられている。
【００３９】
コイル５は、振動方向Ｑ（図１）に平行な軸を中心として巻かれた導線からなり、筒状形状を有する。コイル５に電流を流すことによって、振動方向Ｑへ振動板４を振動させることができる。
【００４０】
カバー６（図１）は振動板４の上方に間隔を空けて配置されている。またカバー６はフレームＦｖの支持面との間に振動板４の外枠部４１を挟み込んでいる。またカバー６は放音孔６１を有する。
【００４１】
次に本実施の形態のスピーカユニットの作用効果について、比較例（図４〜図７）と対比して説明する。
【００４２】
本実施の形態によれば、第２エッジ直線部ＬＥ２（図３）が設けられることにより、最低共振周波数を低くすることができ、また低歪化が実現される。まずそのことを比較例と対比して以下に説明する。
【００４３】
比較例の振動板片４ａＺ（図４）において、エッジ部４２Ｚのエッジ外周４２ａＺはエッジ曲線部ＣＥＺを含む。エッジ曲線部ＣＥＺは、楕円が短径に沿って半分にされた形状を有し、かつ第１および第２エッジ直線部ＬＥ１、ＬＥ２を互いにつないでいる。このため長径Ａ１の両端においてエッジ外周４２ａＺは上記楕円の曲率を有する。この曲率の存在の結果、振動板片４ａＺの長径Ａ１に沿った方向の両端近傍の位置に凹みＨ（図５および図６）が形成されるような捩れが生じ、スピーカの発する音に歪が発生し易くなる。
【００４４】
より具体的には、振動板片４ａＺの成形時に生じた残留応力または振動時に生じた応力によって、凹みＨが生じ得る。この場合、振動板片４ａＺとマグネット２２ｖ（図１）との間隔が不均一になり、振動板片４ａＺを正しく振動させることができなくなる。これにより、振動板片４ａＺの振動振幅が大きくなる最低共振周波数付近において、出力音が歪みやすく、また有効な音圧を得ることができなくなる。
【００４５】
これに対して本実施の形態では、エッジ外周４２ａ（図３）のうち第２エッジ直線部ＬＥ２の部分の曲率がゼロとなることで、上記の凹みＨの発生を抑制することができる。よって最低共振周波数を低くすることができ、また高音圧化および低歪化が実現される。
【００４６】
また本実施の形態によれば、補強シート７（図１）が設けられることにより、最低共振周波数を低くすることができる。そのことを比較例と対比して以下に説明する。
【００４７】
比較例の振動板片４ａＺ（図４）の胴体部４３Ｚ上には補強シート７（図１）が取り付けられていないので、コイル５を支持する胴体部４３Ｚにおける剛性を十分に確保することが困難となる。この結果、コイル５（図７）の振動姿勢が崩れやすくなる。また仮にコイル５取り付けのための接着剤が厚く塗布されることで胴体部４３Ｚの剛性が高められた場合、塗布ばらつきによって胴体部４３Ｚの剛性ばらつきが生じやすい。この場合においてもコイル５の振動姿勢が崩れやすくなる。
【００４８】
これに対して本実施の形態では補強シート７（図１）によって胴体部４３（図３）における剛性が均一に高められているので、コイル５の振動姿勢が安定化される。これによりコイル５が入力信号に対応して振動方向Ｑ（図１）に沿って振動できるので、高音圧化および低歪化を実現することができる。
【００４９】
また補強シート７および胴体部４３の各々が可視光領域の波長の光に対して透明であるので、可視光Ｌ（図８）を胴体部４３のコイル５側の面に、補強シート７および胴体部４３を介して入射させることができる。これによりコイル５と胴体部４３とを可視光硬化型の接着剤部８５を用いて効率よく接着することができる。よってスピーカユニットの製造コストを低減することができる。
【００５０】
また本実施の形態によれば、エッジ曲線部ＣＥ（図３）が設けられることにより、最低共振周波数を低くすることができ、また高音圧化および低歪化が実現される。そのことについて以下に説明する。
【００５１】
仮にエッジ外周４２ａが直角部ＲＥ（図３）を含むとすると、直角部ＲＥの角部の曲率が極めて大きくなる。このため直角部ＲＥ先端近傍の領域ＲＡに凹みＨ（図５および図６）と同様の凹みが生じやすい。
【００５２】
これに対して本実施の形態では直角部ＲＥに比して曲率が小さいエッジ曲線部ＣＥを用いることで凹みの発生を抑制することができる。よって最低共振周波数を低くすることができ、また高音圧化および低歪化が実現される。
【００５３】
また本実施の形態によれば、第１エッジ直線部ＬＥ１（図３）が設けられることにより、振動板片４ａの面積を大きくすることができるので、高音圧化が実現される。
【００５４】
また本実施の形態によれば、好ましくはエッジ曲線部ＣＥ（図３）は円弧形状を含まない。これにより円弧形状ＡＥが用いられる場合に比して、振動板片４ａの交点Ｏから遠い領域ＡＡを削除することができる。これにより製造誤差によって振動板片４ａの重心が交点Ｏから外れることを抑制することができる。よって振動板片４ａが振動方向Ｑに正しく振動するため、低歪化が実現される。
【００５５】
また本実施の形態によれば、皺部４８（図３）により、高音圧化および低歪化が実現される。そのことについて比較例と対比して以下に説明する。
【００５６】
比較例の振動板片４ａＺ（図４）は、長径Ａ１近傍にも皺部４８Ｚが設けられている。
このため皺部４８Ｚによって長径Ａ１近傍におけるエッジ部４２Ｚの振動が妨げられる。
よって音の歪成分が増大しやすく、また有効な音圧を得にくい。
【００５７】
これに対して本実施の形態では、第２エッジ直線部ＬＥ２の両端の各々と交点Ｏとを結ぶ１対の第２直線Ｌ２に挟まれた領域内には皺部４８が設けられていない。これにより皺部４８が長径Ａ１近傍におけるエッジ部４２の振動を妨げることが抑制されるので、高音圧化および低歪化が実現される。
【００５８】
また比較例の胴体部４３Ｚ（図４）の皺部４８Ｚは、長径Ａ１および短径Ａ２の各々に対して非対称に配置されている。このため図５に示すように、応力が特に大きい領域Ｓ１と、応力が中程度の領域Ｓ２とが、長径Ａ１および短径Ａ２の各々に対して非対称に分布する。この結果、振動板片４ａＺの平面視における対角線方向Ｄ１およびＤ２に沿った応力の加わり方が互いに相違する。この相違より、図７に示すようなコイル５の傾斜が引き起こされる。
【００５９】
これに対して本実施の形態では、図３に示すように、複数の皺部４８は交点Ｏに関して放射状に延びている。これにより皺部４８を高い対称性で配置することができるので、振動板片４ａの応力分布の対称性を高めることができる。よって振動板片４ａの応力分布のバランスの崩れに起因したコイル５の傾きを抑制することができるので、高音圧化および低歪化を実現することができる。
【００６０】
また本実施の形態によれば、図３に示すように、皺部４８の少なくとも１つが第１直線Ｌ１上に沿って延びている。これにより高音圧化および低歪化が実現される。そのことについて本実施の形態の変形例と対比して以下に説明する。
【００６１】
変形例の振動板片４ａｖ（図９）は、本実施の形態の振動板片４ａ（図３）と異なり、第１直線Ｌ１上に皺部４８を有さない。この結果、図１０に示すように、第１直線Ｌ１近傍において、上述した領域Ｓ１およびＳ２より軽微であるものの、応力が集中した領域Ｓ３が発生する。
【００６２】
これに対して本実施の形態では、図３に示すように、第１直線Ｌ１上に沿って延びる皺部４８が設けられている。これにより領域Ｓ３の応力集中を緩和することができる。よって高音圧化および低歪化が実現される。
【００６３】
また本実施の形態によれば、好ましくは、外枠部４１および補強リング８の各々は、可視光領域の波長の光に対して透明である。これにより、図８に示すように、外枠部４１および補強リング８を可視光硬化型の接着剤部８１を用いて効率よく接着することができる。また、より好ましくは接着剤部８１は可視光を透過するものである。これにより可視光硬化型接着剤を硬化させるための光が外枠部４１と補強リング８との間で吸収されてしまうことを抑制することができる。
【００６４】
以上説明したように、本実施の形態によれば、最低共振周波数を低くすることができ、また高音圧化および低歪化を実現することができる。その検証結果について以下に説明する。
【００６５】
図１１を参照して、破線で示す比較例のスピーカユニットの出力は、周波数が６００Ｈｚ以下よりも低くされると顕著に減少し始めた。一方、本実施の形態によれば周波数が４００ｋＨｚにまで低くされても略一定の出力が得られた。すなわち比較例に比して本実施の形態では最低共振周波数が低減されたことが分かった。
【００６６】
また特に低周波数領域および高周波数領域において、比較例の出力に比して本実施の形態の出力の方が大きかった。すなわち比較例に比して本実施の形態では音圧が高められたことが分かった。
【００６７】
図１２を参照して、破線で示す比較例に比して実線で示す本実施の形態において、全高調波歪とノイズとの和（ＴＨＤ＋Ｎ(Total Distortion Plus Noise)）で定義される歪が、特に３００Ｈｚ以下の低周波数領域で低減された。また比較例において存在していた９００Ｈｚ近傍の歪ピークが本実施の形態においては発生しなかった。このように、比較例に比して本実施の形態において歪が小さくなったことが分かった。
【００６８】
なお本実施の形態１においてはスピーカユニットは外磁型であったが、本発明はこれに限定されるものではなく、たとえば内磁型であってもよい。すなわちマグネットは、コイルの内周面と間隔を空けてコイルの内周側に配置されてもよい。
【００６９】
（実施の形態２）
図１３および１４を参照して、本実施の形態のスピーカユニットは、コイル５ｈと、フレームＦと、ボトムプレート１と、アウターマグネット２と、インナーマグネット３とを有する。
【００７０】
フレームＦおよびボトムプレート１（図１４）は、細長い箱型の形状をなしている。２つのアウターマグネット２および１つのインナーマグネット３の各々は、振動板４と所定間隔を空けて、ボトムプレート１上において長径方向Ｘに延びている。インナーマグネット３は２つのアウターマグネット２間に配置されている。アウターマグネット２の上部２１および下部２２のそれぞれはＳ極およびＮ極であって、インナーマグネット３の上部３１および下部３２のそれぞれは、Ｎ極およびＳ極である。ボトムプレート１は強磁性体からなる。この構成によって、アウターマグネット２およびインナーマグネット３により生じる磁束は、図２の矢印Ｃに示すようにループをなす。
【００７１】
コイル５ｈは、振動方向Ｑ（図１４）に平行な軸を中心として巻かれた導線からなり、扁平形状を有する。コイル５ｈの付近においては磁界の方向が短径方向Ｙに沿うため、コイル５ｈに電流を流すことによって、電流の方向（長径方向Ｘ）と磁界の方向（短径方向Ｙ）とに直交する方向（すなわち振動方向Ｑ）へ振動板４を振動させることができる。
【００７２】
なお、上記以外の構成については、上述した実施の形態１の構成とほぼ同じであるため、同一または対応する要素について同一の符号を付し、その説明を繰り返さない。
【００７３】
本実施の形態によっても、実施の形態１と同様の効果が得られる。
【００７４】
（実施の形態３）
図１５および図１６を参照して、本実施の形態の携帯情報端末は、携帯電話であって、上部筐体１０１と、表示部１０２と、放音孔１０３と、ヒンジ部１０４と、下部筐体１０５と、操作ボタン１０６と、数字ボタン１０７と、表示部１１１と、放音孔１１２と、複数のスピーカユニット（図１５および図１６において図示せず）とを有する。
【００７５】
放音孔１０３の近傍には、受話音などを発生するレシーバとして、一のスピーカユニットが内蔵されている。また放音孔１１２の近傍には、着信音などを発生するスピーカとして、他のスピーカユニットが内蔵されている。これらのスピーカユニットは、上述した実施の形態１または２の構成を有している。
【００７６】
本実施の形態によればスピーカユニットをより限られたスペースに搭載することができるので、携帯情報端末を小型化、薄型化またはスリム化することができる。
【００７７】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００７８】
本発明は、コイルが取り付けられた振動板を有するスピーカユニットに特に有利に適用され得る。
【符号の説明】
【００７９】
４  振動板、４ａ，４ａｖ  振動板片、５，５ｈ  コイル、７  補強シート、８  補強リング、４１  外枠部、４２  エッジ部、４２ａ  エッジ外周，４３ａ  胴体外周、４３  胴体部、４８  皺部、８１，８５  接着剤部、Ａ１  長径、Ａ２  短径、ＣＢ  胴体曲線部、ＣＥ  エッジ曲線部、Ｆ  フレーム、Ｆｖ  ベースフレーム、ＬＢ１  胴体直線部、ＬＢ２  胴体直線部、ＬＥ１  エッジ直線部、ＬＥ２  エッジ直線部、Ｏ  交点（中心）、Ｑ  振動方向、Ｘ  長径方向、Ｙ  短径方向。
【図１】
0005429194.tif 000002
【図２】
0005429194.tif 000003
【図３】
0005429194.tif 000004
【図４】
0005429194.tif 000005
【図５】
0005429194.tif 000006
【図６】
0005429194.tif 000007
【図７】
0005429194.tif 000008
【図８】
0005429194.tif 000009
【図９】
0005429194.tif 000010
【図１０】
0005429194.tif 000011
【図１１】
0005429194.tif 000012
【図１２】
0005429194.tif 000013
【図１３】
0005429194.tif 000014
【図１４】
0005429194.tif 000015
【図１５】
0005429194.tif 000016
【図１６】
0005429194.tif 000017